【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
情報処理装置を認証する認証手段と、
前記情報処理装置からの、コンテンツおよび鍵の送信要求の受信を制御する受信制御手段と、
前記情報処理装置への前記コンテンツおよび前記鍵の少なくともいずれか一方の送信の履歴を記録する記録手段と、
前記記録手段が記録している前記コンテンツおよび前記鍵の少なくともいずれか一方の送信の履歴を基に、前記情報処理装置への前記コンテンツまたは前記鍵の送信を制御する送信制御手段と
を含むことを特徴とする情報提供装置。
【請求項２】
情報処理装置を認証する認証ステップと、
前記情報処理装置からの、コンテンツおよび鍵の送信要求の受信を制御する受信制御ステップと、
前記情報処理装置への前記コンテンツおよび前記鍵の少なくともいずれか一方の送信の履歴を記録している記録ステップと、
前記記録ステップの処理で記録された前記コンテンツおよび前記鍵の少なくともいずれか一方の送信の履歴を基に、前記情報処理装置への前記コンテンツまたは前記鍵の送信を制御する送信制御ステップと
を含むことを特徴とする情報提供方法。
【請求項３】
情報処理装置を認証する認証ステップと、
前記情報処理装置からの、コンテンツおよび鍵の送信要求の受信を制御する受信制御ステップと、
前記情報処理装置への前記コンテンツおよび前記鍵の少なくともいずれか一方の送信の履歴を記録している記録ステップと、
前記記録ステップの処理で記録された前記コンテンツおよび前記鍵の少なくともいずれか一方の送信の履歴を基に、前記情報処理装置への前記コンテンツまたは前記鍵の送信を制御する送信制御ステップと
を含むことを特徴とするコンピュータが読み取り可能なプログラムが格納されているプログラム格納媒体。
【請求項４】
第１の情報提供装置を認証する認証手段と、
前記第１の情報処理装置から送信されたコンテンツおよび鍵の少なくともいずれか一方の受信の履歴を記録する記録手段と、
前記記録手段が記録している前記コンテンツおよび前記鍵の少なくともいずれか一方の受信の履歴を基に、前記第１の情報提供装置への、前記コンテンツおよび前記鍵のすくなくともいずれか一方の送信要求、または前記コンテンツおよび前記鍵を提供する第２の情報提供装置を特定するデータの送信を制御する送信制御手段と、
前記第１の情報処理装置から送信された前記コンテンツまたは前記鍵の受信を制御する受信制御手段と
を含むことを特徴とする情報処理装置。
【請求項５】
第１の情報提供装置を認証する認証ステップと、
前記第１の情報処理装置から送信されたコンテンツおよび鍵の少なくともいずれか一方の受信の履歴を記録する記録ステップと、
前記記録ステップの処理で記録された前記コンテンツおよび前記鍵の少なくともいずれか一方の受信の履歴を基に、前記第１の情報提供装置への、前記コンテンツおよび前記鍵のすくなくともいずれか一方の送信要求、または前記コンテンツおよび前記鍵を提供する第２の情報提供装置を特定するデータの送信を制御する送信制御ステップと、
前記第１の情報処理装置から送信された前記コンテンツまたは前記鍵の受信を制御する受信制御ステップと
を含むことを特徴とする情報処理方法。
【請求項６】
第１の情報提供装置を認証する認証ステップと、
前記第１の情報処理装置から送信されたコンテンツおよび鍵の少なくともいずれか一方の受信の履歴を記録する記録ステップと、
前記記録ステップの処理で記録された前記コンテンツおよび前記鍵の少なくともいずれか一方の受信の履歴を基に、前記第１の情報提供装置への、前記コンテンツおよび前記鍵のすくなくともいずれか一方の送信要求、または前記コンテンツおよび前記鍵を提供する第２の情報提供装置を特定するデータの送信を制御する送信制御ステップと、
前記第１の情報処理装置から送信された前記コンテンツまたは前記鍵の受信を制御する受信制御ステップと
を含むことを特徴とするコンピュータが読み取り可能なプログラムが格納されているプログラム格納媒体。
【手続補正２】
【補正対象書類名】明細書
【補正対象項目名】００７５
【補正方法】変更
【補正の内容】
【００７５】
【課題を解決するための手段】
請求項１に記載の情報提供装置は、情報処理装置を認証する認証手段と、情報処理装置からの、コンテンツおよび鍵の送信要求の受信を制御する受信制御手段と、情報処理装置へのコンテンツおよび鍵の少なくともいずれか一方の送信の履歴を記録する記録手段と、記録手段が記録しているコンテンツおよび鍵の少なくともいずれか一方の送信の履歴を基に、情報処理装置へのコンテンツまたは鍵の送信を制御する送信制御手段とを含むことを特徴とする。
【手続補正３】
【補正対象書類名】明細書
【補正対象項目名】００７６
【補正方法】変更
【補正の内容】
【００７６】
請求項２に記載の情報提供方法は、情報処理装置を認証する認証ステップと、情報処理装置からの、コンテンツおよび鍵の送信要求の受信を制御する受信制御ステップと、情報処理装置へのコンテンツおよび鍵の少なくともいずれか一方の送信の履歴を記録している記録ステップと、記録ステップの処理で記録されたコンテンツおよび鍵の少なくともいずれか一方の送信の履歴を基に、情報処理装置へのコンテンツまたは鍵の送信を制御する送信制御ステップとを含むことを特徴とする。
【手続補正４】
【補正対象書類名】明細書
【補正対象項目名】００７７
【補正方法】変更
【補正の内容】
【００７７】
請求項３に記載のプログラム格納媒体のプログラムは、情報処理装置を認証する認証ステップと、情報処理装置からの、コンテンツおよび鍵の送信要求の受信を制御する受信制御ステップと、情報処理装置へのコンテンツおよび鍵の少なくともいずれか一方の送信の履歴を記録している記録ステップと、記録ステップの処理で記録されたコンテンツおよび鍵の少なくともいずれか一方の送信の履歴を基に、情報処理装置へのコンテンツまたは鍵の送信を制御する送信制御ステップとを含むことを特徴とする。
【手続補正５】
【補正対象書類名】明細書
【補正対象項目名】００８１
【補正方法】変更
【補正の内容】
【００８１】
請求項１に記載の情報提供装置、請求項２に記載の情報提供方法、および請求項３に記載のプログラム格納媒体においては、情報処理装置が認証され、情報処理装置からの、コンテンツおよび鍵の送信要求の受信が制御され、情報処理装置へのコンテンツおよび鍵の少なくともいずれか一方の送信の履歴が記録され、記録しているコンテンツおよび鍵の少なくともいずれか一方の送信の履歴を基に、情報処理装置へのコンテンツまたは鍵の送信が制御される。
【手続補正６】
【補正対象書類名】明細書
【補正対象項目名】０２０７
【補正方法】変更
【補正の内容】
【０２０７】
【発明の効果】
請求項１に記載の情報提供装置、請求項２に記載の情報提供方法、および請求項３に記載のプログラム格納媒体によれば、情報処理装置が認証され、情報処理装置からの、コンテンツおよび鍵の送信要求の受信が制御され、情報処理装置へのコンテンツおよび鍵の少なくともいずれか一方の送信の履歴が記録され、記録しているコンテンツおよび鍵の少なくともいずれか一方の送信の履歴を基に、情報処理装置へのコンテンツまたは鍵の送信が制御されるようにしたので、情報処理装置は、コンテンツまたはコンテンツ鍵の伝送が中断されても、迅速に、コンテンツまたはコンテンツ鍵を受信できるようになる。